(57)【要約】【課題】  複数の合紙レス平版刷版を束にしたものを装填し、各平版刷版を枚葉分離して搬出するための枚葉分離方法と、これを実施する平版刷版の供給装置を提供する。【解決手段】  制御部２０で制御することにより、保管棚１４４に斜めに載置された平版刷版１１１の束における最も上に位置する平版刷版１１１を、捌き手段２０２の変形操作用の凹部に密着させてこれに沿うよう変形させた状態で、ゆっくりと保管棚１４４から引き離すように持ち上げることによって、平版刷版１１１が凹部の形状に沿う弾性変形により生じた隙間から空気を十分に流入させながら少ない抵抗で平版刷版１１１を持ち上げることができ、さらに、捌き操作位置に持ち上げてから捌き手段２０２と共に平版刷版１１１を上下動させる捌き動作を実行した後に、捌き手段２０２から平版刷版１１１を開放する制御を行う。【選択図】  図３
2007119247.tif 000002
【特許請求の範囲】
【請求項１】
一方の平版刷版の表面上に他方の平版刷版の裏面を直接接触させて積層することにより前記平版刷版が所定複数枚重ねられて束にされたものを、斜めに配置された支持台上に斜めに持たせ掛けるように載置する保管棚と、
前記保管棚に載置された平版刷版の束における最も上に位置する前記平版刷版を少なくとも１つの変形操作用の凹部に沿うよう変形させて密着させた状態で保管棚から引き離すように持ち上げることにより捌くための捌き手段と、
前記捌き手段を前記平版刷版に当接させる位置と、前記捌き手段で前記平版刷版を保管棚から引き離して持ち上げた捌き操作位置との間を、移動速度を変更可能に移動操作する移動操作機構と、
前記移動操作機構を制御して、前記捌き手段を前記平版刷版に当接する位置へ移動してから、前記捌き手段と共に前記平版刷版を低速で移動して所定高さまで持ち上げた状態とし、この後高速に切り替えて前記捌き手段と共に前記平版刷版を捌き操作位置まで移動操作し、この捌き操作位置で前記捌き手段と共に前記平版刷版を上下動させる捌き動作を実行した後に、前記捌き手段から前記平版刷版を開放する制御を行う制御部と、
を有することを特徴とする平版刷版の供給装置。
【請求項２】
一方の平版刷版の表面上に他方の平版刷版の裏面を直接接触させて積層することにより前記平版刷版が所定複数枚重ねられて束にされたものを、斜めに配置された支持台上に斜めに持たせ掛けるように載置する保管棚と、
前記保管棚に載置された平版刷版の束における最も上に位置する前記平版刷版を少なくとも１つの変形操作用の凹部に沿うよう変形させて密着させた状態で保管棚から引き離すように持ち上げることにより捌く捌き手段と、ローラピック方式の搬出手段とを装着したピックアップユニットと、
前記ピックアップユニットを、前記ローラピック方式の搬出手段が前記平版刷版に転接する位置と、前記捌き手段が前記平版刷版に当接する位置と、前記捌き手段で前記平版刷版を保管棚から引き離して持ち上げた捌き操作位置との間で、移動速度を変更可能に移動操作する移動操作機構と、
前記移動操作機構を制御して前記ピックアップユニットを、前記捌き手段が前記平版刷版に当接する位置へ移動してから、前記ピックアップユニットを低速で移動して前記捌き手段により前記平版刷版の一部を持ち上げると共に、前記ローラピック方式の搬出手段で前記平版刷版の一部を押し下げる状態とし、この後高速に切り替えて前記ピックアップユニットを捌き操作位置まで移動操作し、この捌き操作位置で前記ピックアップユニットを上下動させる捌き動作を実行した後に、前記捌き手段から前記平版刷版を開放し、前記前記ピックアップユニットを前記ローラピック方式の搬出手段が前記捌かれた平版刷版に転接する位置まで移動操作し、前記ローラピック方式の搬出手段を駆動して前記平版刷版を搬出させる制御を行う制御部と、
を有することを特徴とする平版刷版の供給装置。
【請求項３】
一方の平版刷版の表面上に他方の平版刷版の裏面を直接接触させて積層することにより前記平版刷版が所定複数枚重ねられて束にされたものを、保管棚の斜めに配置された支持台上に斜めに持たせ掛けるように載置された平版刷版の束における、最も上に位置する前記平版刷版の搬送方向先端側端部から所定距離だけ置いた表面に、捌き手段を密着させることによって当該捌き手段に少なくとも１つ形成された変形操作用の凹部に沿って変形するよう前記平版刷版を密着する密着開始工程と、
前記捌き手段に形成された少なくとも１つの前記変形操作用の凹部の形状に前記平版刷版の変形形状がなじむまで待つ変形用の待機工程と、
前記捌き手段とこれに密着している前記平版刷版とを、所定の遅い移動速度で所定高さだけ持ち上げて、その下にある前記平版刷版の表面との間に空気が流入可能な開口が開いて密着が部分的に解除された状態とする空気導入用持ち上げ工程と、
前記捌き手段とこれに密着している前記平版刷版とを、所定の速い移動速度で持ち上げることにより、持ち上げられた前記平版刷版を、その下の前記平版刷版に対して後端まで捌けるようにするための捌き操作位置へ移動させる捌き位置への持ち上げ工程と、
前記捌き手段とこれに密着している前記平版刷版とを速い移動速度で上下に往復させるあおり操作を行い、持ち上げられた前記平版刷版とその下の前記平版刷版との間に入った空気が前記持ち上げられた平版刷版の先端から後端にかけてその四隅にまで行き渡り、これらの間を全面にわたって十分に離間するように捌くようにするあおり操作工程と、
前記捌き手段に密着している前記平版刷版の密着状態を解除し、捌き操作位置において前記平版刷版を開放する密着解除工程と、
を有することを特徴とする平版刷版の枚葉分離方法。
【請求項４】
一方の平版刷版の表面上に他方の平版刷版の裏面を直接接触させて積層することにより前記平版刷版が所定複数枚重ねられて束にされたものを、斜めに配置された支持台上に斜めに持たせ掛けるように載置する保管棚と、
前記保管棚に載置された平版刷版の束における最も上に位置する前記平版刷版の上端部近傍の表面に、真空吸着させた状態で保管棚から引き離すように持ち上げることにより捌く動作を行うためのサッカーと、
前記サッカーを構成するため、前記平版刷版の上端部に沿う方向に長細く形成した吸盤本体の吸着面部に、少なくとも吸引口部に対応して形成した前記平版刷版を変形操作するための凹部と、
前記吸盤本体の吸着面の周囲から斜め外方へ向けて延出するよう一体に形成された、柔軟なスカート部と、
を有することを特徴とする平版刷版の供給装置。
【請求項５】
前記サッカーのスカート部の厚さを、０．３ｍｍから０．５ｍｍの範囲の厚さに形成したことを特徴とする請求項４に記載の平版刷版の供給装置。
【請求項６】
前記吸盤本体の吸着面部に形成した前記平版刷版を変形操作するための凹部の高低差を０．６ｍｍから０．９ｍｍの範囲内で構成したことを特徴とする請求項４又は請求項５に記載の平版刷版の供給装置。
【請求項７】
前記サッカーが前記平版刷版の表面に吸着する位置を、前記平版刷版の上端部から前記スカート部端面までの距離が２ｍｍから１０ｍｍの範囲内となるように構成したことを特徴とする請求項４乃至請求項６の何れか１項に記載の平版刷版の供給装置。
【請求項８】
前記サッカーを前記平版刷版に真空吸着させた状態で前記保管棚から引き離すように持ち上げる速度を０．５ｍｍ／ｓｅｃから１ｍｍ／ｓｅｃの範囲内となるように構成したことを特徴とする請求項４乃至請求項７の何れか１項に記載の平版刷版の供給装置。
【発明の詳細な説明】
【技術分野】
【０００１】
この発明は、複数の平版刷版だけを束ねたものを装填し、各平版刷版を１枚づつ持ち上げることにより枚葉分離して搬出する平版刷版の供給装置と、枚葉分離方法とに関する。
【背景技術】
【０００２】
一般に、オフセット印刷には、平版刷版として感光性印刷版（いわゆるフォトポリマーＰＳ版）又はいわゆるサーマルＰＳ版等が利用されている。また、この平版印刷の分野では、未露光の感光性印刷版の供給を受けて、この感光性印刷版に対しコンピュータ等のデジタルデータに基づいてレーザ露光処理をし、自動現像機で感光性印刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。
【０００３】
ＣＴＰシステムに用いられる平版刷版としての感光性印刷版１０には、図１９に例示するように、薄いアルミニウム基板１２の表面上へ感光剤を層状に塗布して感光層１４が構成されている。さらに、このような感光性印刷版（ＰＳ版）１０には、アルミニウム基板１２に塗布する感光剤を外力に対し強い特性（例えば、通常のＰＳ版の２０倍以上の強度特性）とし、合紙の保護を必要とせず、じかに重ねて束ねた状態で取り扱っても傷が問題とならない程度に記録層側の表面を強化した、表面強化型のフォトポリマＰＳ版（いわゆる合紙レス平版刷版）がある。
【０００４】
また、この合紙レス平版刷版では、酸素による感光層１４の減感現象防止のため、平版刷版（ＰＳ版）の感光層１４の最外表面上にオーバーコート層（いわゆるＯＣ層と呼ばれるＰＶＡ：ポリビニールアルコール）１６が塗布されている。この合紙レス平版刷版のＯＣ層１６は、画像記録（露光）完了までは必要だが、現像に対しては障害となるために、現像前の水洗工程で完全に除去できるように、ＯＣ層１６を水溶性材料で構成している。
【０００５】
このような合紙レス平版刷版（合紙レスＰＳ版）を使用するＣＴＰシステムには、平版刷版の供給装置を備えたものがある。この平版刷版の供給装置は、一方の感光性印刷版１０表面の感光面上に他方の感光性印刷版１０裏面を直接接触させて積層し、所定複数枚重ねた束を、遮光された自動供給装置のハウジング内に装填し、製版作業の開始と共に自動供給装置の供給装置によって感光性印刷版の束から感光性印刷版１０を１枚ずつ分離して、露光処理部側へ搬出する。
【０００６】
この平版刷版の供給装置は、合紙レス平版刷版の取り出し機構とＰＳ版搬送機構で構成する。この平版刷版の供給装置では、合紙レス平版刷版の枚葉供給手段として構成するため、合紙取り出し機構、合紙搬送機構及び合紙集積部が不要となり、高生産性、低価格、省スペースな構成をとることが可能である。
【０００７】
さらに、この合紙レス平版刷版を使用する平版刷版の供給装置は、複数枚重ねられた感光性印刷版１０の束における最も上にある感光性印刷版１０表面にゴム製ローラを転接させることによって感光性印刷版１０を一枚づつ分離して搬出する、いわゆるローラピック方式で構成することが考えられる。
【０００８】
しかし、このような合紙レス平版刷版を使用するＣＴＰシステムにおけるローラピック方式の平版刷版の供給装置では、自動供給装置のハウジング内に複数枚重ねられた状態で感光性印刷版１０の束が装填されるため、梅雨時に稼動する場合等のように自動供給装置のハウジング内が高温多湿（例えば、気温３０℃、湿度５０％以上）になると、ＯＣ層が空気中の水分を吸水し、溶け出して接着性が増加する傾向がある。
【０００９】
その結果、ローラピック方式の平版刷版の供給装置では、図２０に示すように、ＯＣ層が吸水し溶けて接着性が増加した部分１６Ａがその上に重ねられている最も上にある感光性印刷版１０のアルミニウム基板１２の裏面に接着してしまい、この最も上にある感光性印刷版１０をその下の感光性印刷版１０から引き剥がして搬出するための搬送負荷Ｒが増加するため、ピックアップ用のローラを強く押し当ててニップ力を増加し搬送力Ｆを大きくしなければならなくなる。
【００１０】
また、このローラピック方式の平版刷版の供給装置では、接着性が増加した部分１６Ａの接着力が大きくなると、ピックアップ用のローラで一時に複数枚の感光性印刷版１０を搬出する状態や、搬送負荷Ｒが増加して搬送不可の状態にもなりかねない。
【００１１】
さらに、このローラピック方式の平版刷版の供給装置では、ピックアップ用のローラを強く押し当てて搬送力Ｆを増加した場合に、図２１に示すように、最も上にある感光性印刷版１０の裏面に接着性が増加した部分１６Ａが部分的又は全体的に付着した状態で搬出されることとなり、感光性印刷版１０に、ＯＣ層１６の剥れによる傷を生じる虞がある。
【００１２】
そこで、このような平版刷版の供給装置では、従来から提案されているシート体枚葉方法を利用することが考えられる。このシート体枚葉方法では、最上層のシート体を吸着した吸着手段が、比較的低速度な第１移動速度で他のシート体から離間されている間に、吸着手段に保持されているシート体が一枚か否かを検出する作業が連続して行われる。
【００１３】
このシート体が一枚か否かを検出する手段は、吸着盤がシート体を吸着して第１移動速度で上昇している間に、シート体枚葉検出機構を介してこの吸着盤に一枚の写真感光材料のみが吸着されているか否かの検出作業を行う。
【００１４】
すなわち、このシート体が一枚か否かを検出する手段では、二枚以上の写真感光材料が重なって吸着盤に同時に吸着保持されていると、写真感光材料の剛性が増すため、検出ロッドで一定の力で押圧したとき、これらの写真感光材料の端部が下方にさほど湾曲しない状態となり、検出ロッドの第１ロッドが、圧縮コイルスプリングの付勢力に逆らって、所定位置に配置した発光部と受光部との間に侵入して、光センサの光源を遮断することになるので、検出ロッドの第１ロッドが光センサの光源を遮断しているときには、吸着盤に複数枚の写真感光材料が吸着保持されていることを検出する。
【００１５】
また、吸着手段に一枚のシート体のみが保持されていることが検出された場合には、この後、この吸着手段が、第１移動速度よりも高速な第２移動速度で移動制御される。このため、一枚のシート体のみが保持された後、吸着手段を迅速に移動させることができ、シート体の枚葉作業が効率的に遂行される。
【００１６】
さらに、吸着手段に一枚のシート体のみが保持された場合には、この吸着手段の位置が検出される。ここで、積層されているシート体に近接する位置で複数枚枚葉が回避された時には、次なるシート体の枚葉工程での第１移動速度を上げることにより、複数枚枚葉を有効に防止した状態でシート体の枚葉工程の効率が向上する。一方、一枚のシート体のみが保持された吸着手段の位置が、積層されているシート体から大きく離間する時には、複数枚のシート体が次段のステーションに送り出されるおそれがあり、次なるシート体の枚葉工程での第１移動速度を下げることによって複数枚枚葉を確実に防止することができる。
【００１７】
さらにまた、シート体の枚葉工程を複数回行って吸着手段の位置と第１移動速度を演算し、これに基づいて次なるシート体の枚葉工程での第１移動速度を設定すれば、シート体の枚葉工程がより確実かつ効率的に遂行されるものが提案されている（例えば、特許文献１参照）。
【００１８】
しかし、上述のような従来提案されているシート体枚葉方法を平版刷版の供給装置に利用しようとする場合には、枚葉供給動作の際に、吸着手段が複数枚吸着を行っていないことを確認するためのシート体が一枚か否かを検出する手段と、この検出データに基づいて高度な制御を行う複雑な制御部２０が必要となり、平版刷版の供給装置が複雑で高価になる。
【００１９】
また、ここで用いるシート体が一枚か否かを検出する手段は、圧縮コイルスプリングにより一定の付勢力で検出ロッドをシート体に圧接して、シート体の撓みの程度を検出ロッドの位置で検出する構成であるから、シート体の弾性係数が一定であることを前提としている。
【００２０】
しかし、平版刷版の供給装置では、種々の平版刷版を取り扱う必要があり、平版刷版の種類ごとにアルミ板の剛性、厚み、サイズ等が異なる。よって、このシート体が一枚か否かを検出する手段では、多種に渡る平版刷版に対して一定の付勢力で検出ロッドを圧接しても、吸着手段が平版刷版を一枚吸着しているときに検出ロッドが受ける反発力が種々に異なるちため検出ロッドの検出位置が一定に定まらないから、平版刷版の枚葉検出には不向きであるという問題がある。
【特許文献１】特開平６−２９３４４８号公報
【発明の開示】
【発明が解決しようとする課題】
【００２１】
本発明は、上述の問題に鑑み、複数の合紙レス平版刷版を束にしたものを装填し、各平版刷版を枚葉分離して搬出するための枚葉分離方法と、これを実施する平版刷版の供給装置を新たに提供することを目的とする。
【課題を解決するための手段】
【００２２】
本発明の請求項１に記載の平版刷版の供給装置は、一方の平版刷版の表面上に他方の平版刷版の裏面を直接接触させて積層することにより平版刷版が所定複数枚重ねられて束にされたものを、斜めに配置された支持台上に斜めに持たせ掛けるように載置する保管棚と、保管棚に載置された平版刷版の束における最も上に位置する平版刷版を少なくとも１つの変形操作用の凹部に沿うよう変形させて密着させた状態で保管棚から引き離すように持ち上げることにより捌くための捌き手段と、捌き手段を平版刷版に当接させる位置と、捌き手段で平版刷版を保管棚から引き離して持ち上げた捌き操作位置との間を、移動速度を変更可能に移動操作する移動操作機構と、移動操作機構を制御して、捌き手段を平版刷版に当接する位置へ移動してから、捌き手段と共に平版刷版を低速で移動して所定高さまで持ち上げた状態とし、この後高速に切り替えて捌き手段と共に平版刷版を捌き操作位置まで移動操作し、この捌き操作位置で捌き手段と共に平版刷版を上下動させる捌き動作を実行した後に、捌き手段から平版刷版を開放する制御を行う制御部と、を有することを特徴とする。
【００２３】
上述のように構成することにより、合紙の介在無しで所定複数枚の平版刷版を積層し重ねて束にしたものを保管棚上に斜めに持たせ掛けるように載置し、最上部の位置にある搬出される平版刷版を捌き手段で密着した際に、捌き手段に形成した凹部に沿って平版刷版を変形した状態でゆっくりと持ち上げるので、平版刷版が凹部の形状に沿う弾性変形により生じた隙間から空気を十分に流入させながら少ない抵抗で平版刷版を持ち上げることによって、搬出される平版刷版を、その下の平版刷版から引き剥がす良好な捌き動作を行わせることができる。
【００２４】
本発明の請求項２に記載の平版刷版の供給装置は、一方の平版刷版の表面上に他方の平版刷版の裏面を直接接触させて積層することにより平版刷版が所定複数枚重ねられて束にされたものを、斜めに配置された支持台上に斜めに持たせ掛けるように載置する保管棚と、保管棚に載置された平版刷版の束における最も上に位置する平版刷版を少なくとも１つの変形操作用の凹部に沿うよう変形させて密着させた状態で保管棚から引き離すように持ち上げることにより捌く捌き手段と、ローラピック方式の搬出手段とを装着したピックアップユニットと、ピックアップユニットを、ローラピック方式の搬出手段が平版刷版に転接する位置と、捌き手段が平版刷版に当接する位置と、捌き手段で平版刷版を保管棚から引き離して持ち上げた捌き操作位置との間で、移動速度を変更可能に移動操作する移動操作機構と、移動操作機構を制御してピックアップユニットを、捌き手段が平版刷版に当接する位置へ移動してから、ピックアップユニットを低速で移動して捌き手段により平版刷版の一部を持ち上げると共に、ローラピック方式の搬出手段で平版刷版の一部を押し下げる状態とし、この後高速に切り替えてピックアップユニットを捌き操作位置まで移動操作し、この捌き操作位置でピックアップユニットを上下動させる捌き動作を実行した後に、捌き手段から平版刷版を開放し、ピックアップユニットをローラピック方式の搬出手段が捌かれた平版刷版に転接する位置まで移動操作し、ローラピック方式の搬出手段を駆動して平版刷版を搬出させる制御を行う制御部と、を有することを特徴とする。
【００２５】
上述のように構成することにより、合紙の介在無しで所定複数枚の平版刷版を積層し重ねて束にしたものを保管棚上に斜めに持たせ掛けるように載置し、最上部の位置にある搬出される平版刷版を捌き手段で密着した際に、捌き手段に形成した凹部に沿って平版刷版を変形し、その下にある平版刷版との間で搬送方向先端部に小さな開口が開いた状態とすると共に、平版刷版の搬送方向先端側端部近くの部分が、その一部で捌き手段に持ち上げられ、他部でローラピック方式の搬出手段に押し下げられることにより、大きなウェーブを描くように十分に弾性変形して湾曲した状態となり、その下にある平版刷版との間で搬送方向先端の幅方向全体に渡って密着が全面的に解除された状態でゆっくりと持ち上げるので、平版刷版が凹部の形状に沿う弾性変形により生じた隙間から空気を十分に流入させながら少ない抵抗で平版刷版を持ち上げることによって、搬出される平版刷版を、その下の平版刷版から引き剥がす良好な捌き動作を行わせることができる。
【００２６】
本発明の請求項３に記載の平版刷版の枚葉分離方法は、一方の平版刷版の表面上に他方の平版刷版の裏面を直接接触させて積層することにより平版刷版が所定複数枚重ねられて束にされたものを、保管棚の斜めに配置された支持台上に斜めに持たせ掛けるように載置された平版刷版の束における、最も上に位置する平版刷版の搬送方向先端側端部から所定距離だけ置いた表面に、捌き手段を密着させることによって捌き手段に少なくとも１つ形成された変形操作用の凹部に沿って変形するよう平版刷版を密着する密着開始工程と、捌き手段に形成された少なくとも１つの変形操作用の凹部の形状に平版刷版の変形形状がなじむまで待つ変形用の待機工程と、捌き手段とこれに密着している平版刷版とを、所定の遅い移動速度で所定高さだけ持ち上げて、その下にある平版刷版の表面との間に空気が流入可能な開口が開いて密着が部分的に解除された状態とする空気導入用持ち上げ工程と、捌き手段とこれに密着している平版刷版とを、所定の速い移動速度で持ち上げることにより、持ち上げられた平版刷版を、その下の平版刷版に対して後端まで捌けるようにするための捌き操作位置へ移動させる捌き位置への持ち上げ工程と、捌き手段とこれに密着している平版刷版とを速い移動速度で上下に往復させるあおり操作を行い、持ち上げられた平版刷版とその下の平版刷版との間に入った空気が持ち上げられた平版刷版の先端から後端にかけてその四隅にまで行き渡り、これらの間を全面にわたって十分に離間するように捌くようにするあおり操作工程と、捌き手段に密着している平版刷版の密着状態を解除し、捌き操作位置において平版刷版を開放する密着解除工程と、を有することを特徴とする。
【００２７】
上述のように構成することにより、合紙の介在無しで所定複数枚の平版刷版を積層し重ねて束にしたものを保管棚上に斜めに持たせ掛けるように載置し、最上部の位置にある搬出される平版刷版を捌き手段で密着した際に、捌き手段に形成した凹部に沿って平版刷版を変形した状態でゆっくりと持ち上げるので、平版刷版が凹部の形状に沿う弾性変形により生じた隙間から空気を十分に流入させながら少ない抵抗で平版刷版を持ち上げることによって、搬出される平版刷版を、その下の平版刷版から引き剥がし、さらに、捌き位置へ平版刷版を持ち上げてから、捌き手段とこれに密着している平版刷版とを速い移動速度で上下に往復させるあおり操作を行うことにより、平版刷版の間に入った空気を平版刷版の先端から後端にかけてその四隅にまで行き渡らせこれらの間を全面にわたって確実かつ十分に離間するように捌くことができる。
【００２８】
本発明の請求項４に記載の平版刷版の供給装置は、一方の平版刷版の表面上に他方の平版刷版の裏面を直接接触させて積層することにより平版刷版が所定複数枚重ねられて束にされたものを、斜めに配置された支持台上に斜めに持たせ掛けるように載置する保管棚と、保管棚に載置された平版刷版の束における最も上に位置する平版刷版の上端部近傍の表面に、真空吸着させた状態で保管棚から引き離すように持ち上げることにより捌く動作を行うためのサッカーと、サッカーを構成するため、平版刷版の上端部に沿う方向に長細く形成した吸盤本体の吸着面部に、少なくとも吸引口部に対応して形成した平版刷版を変形操作するための凹部と、吸盤本体の吸着面の周囲から斜め外方へ向けて延出するよう一体に形成された、柔軟なスカート部と、を有することを特徴とする。
【００２９】
上述のように構成することにより、合紙の介在無しで所定複数枚の平版刷版を積層し重ねて束にしたものを保管棚上に斜めに持たせ掛けるように載置し、最上部の位置にある搬出される平版刷版をサッカーで真空吸着した際に吸盤本体の凹部に沿って平版刷版を変形した状態で持ち上げることによって、その下にある平版刷版との間に隙間を作り、この隙間から大量の空気を流入させて搬出される平版刷版を、その下の平版刷版から引き剥がす良好な捌き動作を行わせ、平版刷版間の接着力を低減して各平版刷版を１枚づつ吸着して持ち上げることにより枚葉分離し、搬送負荷を低減し、平版刷版の表面にある記録層、ＯＣ層等を傷つけることを防止して搬出できる。
【００３０】
請求項５に記載の発明は、請求項４に記載の平版刷版の供給装置において、サッカーのスカート部の厚さを、０．３ｍｍから０．５ｍｍの範囲の厚さに形成したことを特徴とする。
【００３１】
上述のように構成することにより、請求項４に記載の発明の作用、効果に加えて、吸盤本体の吸着面部にある変形操作用の凹部により形成される波形形状に沿わせるように平版刷版を吸着したときに、吸着した平版刷版の端部がその下にある平版刷版の表面に押し当てられて空気の侵入を妨げるように変形することを抑制し、吸着した平版刷版とその下の平版刷版との間に空気が入り易くし、良好な捌き動作を行えるようにする。
【００３２】
請求項６に記載の発明は、請求項４又は請求項５に記載の平版刷版の供給装置において、吸盤本体の吸着面部に形成した平版刷版を変形操作するための凹部の高低差を０．６ｍｍから０．９ｍｍの範囲内で構成したことを特徴とする。
【００３３】
上述のように構成することにより、請求項４又は請求項５に記載の発明の作用、効果に加えて、サッカーで真空吸着させた状態で平版刷版を凹部の形状に沿うように弾性変形させて、その下にある平版刷版の表面との間に隙間を作り空気が侵入し易くすることができる。
【００３４】
請求項７に記載の発明は、請求項４乃至請求項６の何れか１項に記載の平版刷版の供給装置において、サッカーが平版刷版の表面に吸着する位置を、平版刷版の上端部からスカート部端面までの距離が２ｍｍから１０ｍｍの範囲内となるように構成したことを特徴とする。
【００３５】
上述のように構成することにより、請求項４乃至請求項６の何れか１項に記載の発明の作用、効果に加えて、サッカーを平版刷版に真空吸着させ平版刷版が凹部の形状に沿うよう弾性変形したときに生じる隙間が平版刷版の上端部へ十分に届き、空気を流入可能とする。
【００３６】
請求項８に記載の発明は、請求項４乃至請求項７の何れか１項に記載の平版刷版の供給装置において、サッカーを平版刷版に真空吸着させた状態で保管棚から引き離すように持ち上げる速度を０．５ｍｍ／ｓｅｃから１ｍｍ／ｓｅｃの範囲内となるように構成したことを特徴とする。
【００３７】
上述のように構成することにより、請求項４乃至請求項７の何れか１項に記載の発明の作用、効果に加えて、サッカーを平版刷版に真空吸着させた状態でゆっくりと持ち上げるので、平版刷版が凹部の形状に沿う弾性変形により生じた隙間から空気を十分に流入させながら、少ない抵抗で平版刷版を持ち上げることができる。
【発明の効果】
【００３８】
本発明の平版刷版の供給装置によれば、複数の合紙レス平版刷版を束にしたものを装填し、枚葉分離方法を用いた平版刷版の供給装置によって、各平版刷版を確実に枚葉分離できるという効果がある。
【発明を実施するための最良の形態】
【００３９】
本発明の枚葉分離方法を用いた平版刷版の供給装置に関する実施の形態について図１乃至図１８により説明する。本実施の形態に係わる枚葉分離方法を用いた平版刷版の供給装置は、例えば、現在市販されている一般の感光性印刷版（ＰＳ版）と比較して、感光性印刷版の表面に感光剤を塗布して形成された感光面が外力に対し強く（２０倍以上）、合紙の保護を必要としないフォトポリマＰＳ版である、いわゆる合紙レス感光性印刷版（合紙レスＰＳ版）を所定複数枚束にしたものを装置内に装填し、供給装置（枚葉供給装置）で各平版刷版を１枚づつ分離して搬出する送給作業を可能に構成する。
【００４０】
すなわち、この平版刷版の供給装置に用いる合紙レス平版刷版としての合紙レス感光性印刷版（合紙レス感光性印刷版）は、所定サイズの長方形の板状に形成された薄いアルミニウム板である支持体上に、感光材料を含有する感光面（画像記録層である感光剤面）を塗布して形成された感光面が設けられている。
【００４１】
この平版刷版の供給装置に用いる合紙レス感光性印刷版は、これを製造してから所定複数枚の感光性印刷版を、合紙を廃止して、感光性印刷版の表面に当たる感光面（感光剤面であるＥｍ面）に感光性印刷版の裏面に当たる（ＰＳ版アルミ面であるＢａｃｋ面）を直接接触させる状態で積層して束にした状態で、運搬や保管を行い、さらに感光性印刷版の母材であるアルミ面で感光面を擦りながら感光性印刷版を１枚づつ分離して搬出しても、傷や圧力カブリ等を生じないという特性を持つ。
【００４２】
また、この平版刷版の供給装置に用いる合紙レス感光性印刷版は、感光性印刷版の裏面に当たるアルミニュウム材料面であるＢａｃｋ面に、その下に積み重ねられた感光性印刷版表面の記録面に対して擦れ傷を付けることを防止するためのオーバーコート層を塗布したものであっても良い。
【００４３】
この合紙レス感光性印刷版は、製造後、合紙無しで所定複数枚積み重ねられることにより直方体の束にされて梱包され、搬送及び保管等の取り扱いが容易な状態とされる。この合紙レス感光性印刷版は、梱包を解いてから合紙無しで所定複数枚積み重ねられた束の状態で、ＣＴＰシステムに設けた平版刷版の供給装置の内部へ遮光状態で供給する。
【００４４】
このＣＴＰ（Ｃｏｍｐｕｔｅｒ  ｔｏ  Ｐｌａｔｅ）システムは、コンピュータ等のデジタルデータに基づいてレーザ露光処理をし、自動現像機で感光性印刷版上に形成された潜像を顕像に変換する現像処理をして直接印刷版を製版する。
【００４５】
図１及び図２に示すように、このＣＴＰシステムは、合紙無しで所定複数枚積み重ねられた平版刷版１１１の束が供給される自動供給装置１１０と、この自動供給装置１１０に連続して平版刷版１１１の束から平版刷版１１１（ＰＳ版）を１枚づつ分離して供給する供給装置である枚葉供給装置１１２と、インナードラム露光装置（モノゴンスキャナー）１１４と、バッファ装置１１６と、現象処理装置１１８とを備える。
【００４６】
このＣＴＰシステムにおける自動供給装置１１０は、その内部で枚葉供給装置１１２と連続するように構成されている。この枚葉供給装置１１２を構成するため、自動供給装置１１０の扉１４２を開けた内部には、保管棚１４４を設置する。この保管棚１４４は、自動供給装置１１０の床面からインナードラム露光装置１１４側の上部へかけて所定角度で斜めに配置した支持台１６０に、高さ位置を調整可能なように棚部材１６２を装着して構成する。この保管棚１４４では、支持台１６０を水平に対して角度６０度から角度８０度の範囲、好ましくは角度７０度で傾斜させる。
【００４７】
このように構成した保管棚１４４に、合紙無しで所定複数枚積み重ねられた平版刷版１１１の束を載置するには、図２及び図３に示すように、この束の搬送方向上流側端部を棚部材１６２の上に載せて支持台１６０の表面に斜めに持たせ掛けるようにして載置する。
【００４８】
このように構成することにより、所定角度で斜めに配置した支持台１６０上に載置された合紙無しで所定複数枚積み重ねられた平版刷版１１１の束において、最も表面側に位置する平版刷版１１１は、その自重によりその下にある平版刷版１１１に圧接する力を、保管棚１４４を水平に配置する場合と比較して減少させることができる。
【００４９】
さらに、このように構成する場合には、保管棚１４４を水平に配置する場合と比較して自動供給装置１１０の水平方向の大きさを削減して装置の小型化を図ることができる。
【００５０】
また、この枚葉供給装置１１２には、保管棚１４４の上側の位置に、複数の合紙レス平版刷版１１１の束における最上部位置にある搬出される平版刷版１１１を捌いて隣接する平版刷版との接着力を低減させるための捌き手段と、この捌かれた平版刷版１１１を１枚づつ分離して搬出するためのローラピック方式に構成された搬出手段とを配置する。なお、ここで、「捌き」とは、複数の合紙レス平版刷版１１１の束（スタック版）における最上部位置にある搬出される平版刷版１１１を持ち上げて、その下にある平版刷版１１１との間に空気を入れることを意味する。
【００５１】
図３に示すように枚葉供給装置１１２では、捌き手段とローラピック方式の搬出手段とを単一の操作部材２０６上に装着して一体的に構成したピックアップユニット２００を配置する。このピックアップユニット２００では、操作部材２０６に、捌き手段としてサッカー（真空サッカー）２０２と、ローラピック方式の搬出手段としてのゴムローラ製の搬出用ローラ１４６とを装着する。
【００５２】
この操作部材２０６は、長板の中央部をＵ字状に切欠した所定の変形板状に形成し、その長手方向両端部から回転軸棒２０８を突設する。この操作部材２０６は、その長手方向を搬送方向に直交する方向に向けた状態で、その両端部から突出した回転軸棒２０８を、それぞれ制御部２０で回転駆動制御される移動操作機構であるモータ２２に接続して、全体が回転軸棒２０８を軸に回転速度を制御されながら所定角度回動されるように構成する。
【００５３】
この操作部材２０６には、その長手方向両端部に、それぞれ昇降装置２１０を介して、いわゆる首振り可能な状態で各サッカー２０２を装着する。この昇降装置２１０は、制御部２０で駆動制御されるアクチェータ等を利用してサッカー２０２を、平版刷版１１１の表面に密着させる吸着位置から所定距離離間した持ち上げ位置まで昇降操作可能に構成する。
【００５４】
サッカー２０２は、図４、図１１乃至図１３、図１６及び図１７に示すように、真空吸着用の吸盤装置として構成するもので、真空吸着用の吸盤部を平版刷版１１１の上端部に沿うように長細い形状（例えば、長円形状）に形成する。このサッカー２０２は、吸盤本体２０１の底部に当たる吸着面部を、長手方向に対して波打つように湾曲させて構成する。
【００５５】
すなわち、この吸盤本体２０１の吸着面部には、吸着平面から離間するように湾曲した変形操作用の凹部２０１Ａを、真空ホース２２６が接続される吸引口部２２４を設ける部分に形成する。なお、このサッカー２０２では、吸盤本体２０１の吸着面の中央部に、空気を吸引するための吸引口部２２４を配置する。
【００５６】
さらに、この吸盤本体２０１の吸着面部には、吸盤本体２０１の長手方向両端部近くにも、変形操作用の凹部２０１Ａを形成する。さらに隣接する変形操作用の凹部２０１Ａの間には、湾曲した凸部２０１Ｂを滑らかにカーブして連続するよう形成し、吸盤本体２０１の両端に当たる変形操作用の凹部２０１Ａの端部を凸部２０１Ｂに形成する。
【００５７】
この吸盤本体２０１は、変形操作用の凹部２０１Ａの最も凹んだ点と、凸部２０１Ｂの最も突出した頂点との高低差を、０．６ｍｍから０．９ｍｍに構成する。
【００５８】
この変形操作用の凹部２０１Ａは、吸盤本体２０１で平版刷版１１１を吸着したときに、吸引口部２２４から空気を吸引したときの吸引力で変形操作用の凹部２０１Ａの湾曲形状に添わせるよう平版刷版１１１を弾性変形させるためのものである。よって、この吸盤本体２０１には、少なくとも１つの変形操作用の凹部２０１Ａを、真空ホース２２６に接続した吸引口部２２４がある部分に設ける。
【００５９】
また、吸盤本体２０１の吸着面部には、その外周を取り囲むように一段高い枠状の当接端縁部２０３を一体的に形成する。さらに、この吸盤本体２０１の吸着面部では、当接端縁部２０３の内側を空気通路となる浅い溝状の底面部２０５に形成する。この底面部２０５の中央部には、吸引口部２２４を開口させる。
【００６０】
この吸盤本体２０１の吸着面部には、その当接端縁部２０３の外周側部から斜め外方に向けてスカート部２０２Ａを一体的に形成する。このスカート部２０２Ａは、波形状の当接端縁部２０３と、平版刷版１１１の平面との間に介在して気密を保つ作用を奏するように、比較的柔らかく構成し、かつ当接端縁部２０３における波形状の高低差に対応した長さを持つように構成する。このため、このスカート部２０２Ａは、その厚さを０．３ｍｍから０．５ｍｍの薄いものに構成する。
【００６１】
また、サッカー２０２の吸引口部２２４には、真空ホース２２６の一端部を接続し、真空ホース２２６の他端部を、制御部２０で吸気操作を制御される吸気装置である真空ポンプ２４に接続する。
【００６２】
このサッカー２０２は、制御部２０で真空ポンプを駆動制御し真空ホース２２６を介してサッカー２０２の吸引口部２２４から空気を吸引することにより、スカート部２０２Ａに囲まれた波型形状の当接端縁部２０３に平版刷版１１１の表面が密着するように吸着させ、平版刷版１１１が当接端縁部２０３の波形状に沿うように弾性変形させて、この吸着された平版刷版１１１とその下にある平版刷版１１１との隙間から容易に空気を流入させて真空密着を解除する捌き動作を適切に行うことができる。
【００６３】
また、このサッカー２０２では、スカート部２０２Ａを薄く弾力を弱く構成しているので、吸盤本体２０１の吸着面部にある変形操作用の凹部２０１Ａと凸部２０１Ｂとにより形成される波形形状に沿わせるように平版刷版１１１を吸着したときに、吸着した平版刷版１１１の端部がその下にある平版刷版１１１の表面に押し当てられて空気の侵入を妨げるように変形することを抑制し、吸着した平版刷版１１１とその下の平版刷版１１１との間に空気が入り易くすることができる。
【００６４】
なお、スカート部２０２Ａの弾力が強いと、吸盤本体２０１の端部から斜め外方に向けて突出しているスカート部２０２Ａによって、吸着されている平版刷版１１１の端部がその下にある平版刷版１１１の表面に押し当てられて吸盤形状に変形し、吸盤の作用でその下の平版刷版１１１を吸着する虞がある。そこで、このサッカー２０２では、スカート部２０２Ａを薄く弾力を弱く構成することによって、この吸盤化現象を防止する。
【００６５】
また、上述のように用いられるサッカー２０２は、保管棚１４４に載置された平版刷版１１１の束における最も上に位置する平版刷版１１１を、保管棚１４４から引き離すように持ち上げるような捌き動作を行うためのものであるから、真空ポンプの一回の駆動時間が短く、空気の吸引能力も小さくて良いから、比較的小型で低出力の廉価な真空ポンプを利用することができる。
【００６６】
このように構成されたサッカー２０２は、複数の合紙レス平版刷版１１１の束における最上部位置にある搬出される平版刷版１１１の搬送方向先端（図で上端）から所定の短い距離（吸着対象の先端からスカートの先端までの距離）を置いた位置に吸着可能なように、ピックアップユニット２００に配置する。本実施の形態では、平版刷版１１１の先端からスカート部２０２Ａの先端までの距離を２ｍｍから１０ｍｍの範囲内の距離に設定する。
【００６７】
図３に示すように、操作部材２０６には、その長手方向中央部に設けたＵ字状の切欠部内に臨むように、搬出用ローラ１４６を配置する。この搬出用ローラ１４６は、その回転軸２１２の両端部をそれぞれ操作部材２０６の裏面に突設された図示しない軸受部材に回動自由に支受させて装着する。
【００６８】
この搬出用ローラ１４６を回転駆動するため、搬出用ローラ１４６の一方の端部から突出した回転軸２１２には、プーリ２１４を同軸に固着する。さらに、操作部材２０６の一部に突設した台座２１６には、制御部２０で駆動制御される駆動モータ２１８を設置する。この駆動モータ２１８の出力軸には、駆動プーリ２２０を同軸に固着する。
【００６９】
そして、この駆動モータ２１８の駆動プーリ２２０と、搬出用ローラ１４６のプーリ２１４との間に巻き掛け伝動機構用の無端ベルト２２２を巻き掛けて、駆動モータ２１８によって搬出用ローラ１４６を回転駆動可能に構成する。
【００７０】
次に、上述した図３に示す構成のピックアップユニット２００による、複数の合紙レス平版刷版１１１の束における最上部位置にある搬出される平版刷版１１１を捌くため、この平版刷版の枚葉供給装置で実行する枚葉分離方法と、この捌かれた平版刷版１１１を１枚づつ分離して搬出する搬出動作について説明する。
【００７１】
このピックアップユニット２００は、移動操作機構によって、ピックアップ位置と、捌き動作用の位置と、退避位置との間を、移動速度を変更する制御をされながら移動操作される。
【００７２】
このピックアップユニット２００の退避位置は、複数の合紙レス平版刷版１１１の束から、搬出用ローラ１４６とサッカー２０２とが所定距離離間して、複数の合紙レス平版刷版１１１の束を保管棚１４４へ補給する動作等の邪魔にならない位置に設定する。
【００７３】
ピックアップユニット２００は、この退避位置において、制御部２０で昇降装置２１０を駆動制御してサッカー２０２を搬出用ローラ１４６の平版刷版１１１に対する当接レベルから離間した所定の上昇位置に移動させた状態で待機する。
【００７４】
制御部２０は、平版刷版１１１の搬出動作を開始する指令を受けると、ピックアップユニット２００を制御して、図１５のフローチャートに示す所定の捌き動作を行う。
【００７５】
この制御部２０は、捌き動作の制御を開始するため移動操作機構であるモータ２２を駆動制御して、ピックアップユニット２００を退避位置で待機している状態から、合紙レス平版刷版１１１の束上面に移動される。
【００７６】
この動作のとき、ピックアップユニット２００は、図５（Ａ）に示すように、その搬出用ローラ１４６が初めに最も上に位置する平版刷版１１１の表面に当接する。
【００７７】
次に、制御部２０は、昇降装置２１０を駆動制御してサッカー２０２を平版刷版１１１の表面に圧接させた、図１１、図５（Ｂ）及び図６（Ａ）に示す捌き動作スタート状態にセットする。
【００７８】
次に、この制御部２０は、図１５のフローチャートに示す捌き動作の制御を開始し、そのステップ３０の密着開始工程で、真空ポンプ２４の駆動を開始する。これにより、真空ポンプ２４は、駆動されて、真空ホース２２６を介してサッカー２０２の吸盤本体２０１に設けた吸引口部２２４から空気を吸引することにより、底面部２０５とスカート部２０２Ａとの内部を平版刷版１１１の搬送方向先端側端部から所定距離だけ置いた位置の表面に吸着させる動作を開始し、次のステップ３１に移行する。
【００７９】
このステップ３１では、変形用の待機工程として、図１２に示すように吸盤本体２０１の吸着面部にある変形操作用の凹部２０１Ａと凸部２０１Ｂとにより形成される波形形状に吸着された平版刷版１１１の形状がなじむようにする、変形待ち時間（ここでは３秒間）だけその位置を保って待機してから、次のステップ３２に移行する。
【００８０】
このステップ３２では、空気導入用持ち上げ工程として、制御部２０がモータ２２を駆動制御し操作部材２０６を移操作して、サッカー２０２と、これに吸着されている平版刷版１１１とを、比較的遅い第１移動速度（ここでは、０．６ｍｍ／ｓｅｃ）で３ｍｍだけ持ち上げて、空気が平版刷版１１１の間に入るきっかけを作る動作を行い、平版刷版１１１の搬送方向先端側端部近くの部分が、当接端縁部２０３の波型形状に沿って弾性変形し、その下にある平版刷版１１１の表面との間に空気が流入可能な比較的小さな開口が開いて密着が部分的に解除された状態としてから、次のステップ３３に移行する。
【００８１】
このステップ３３では、空気行き渡し用の持ち上げ工程として、制御部２０がモータ２２を駆動制御し操作部材２０６を移操作して、サッカー２０２と、これに吸着されている平版刷版１１１とを、比較的に中程度の速さである第２移動速度（ここでは、３ｍｍ／ｓｅｃ）で６ｍｍだけ持ち上げて、サッカー２０２を搬出用ローラ１４６の平版刷版１１１に対する当接レベルから離間した所定の上昇位置に移動させた図５（Ｃ）に示す状態とし、次のステップ３４に移行する。
【００８２】
ステップ３４では、全面離間用の待機工程として、制御部２０がモータ２２を所定の待機時間（ここでは２秒）だけ停止させる。この全面離間用の待機工程により、平版刷版１１１は、その搬送方向先端側端部近くの部分が、スカート部２０２Ａの波型形状に沿った比較的小さな開口が開いた状態とっていると共に、平版刷版１１１の搬送方向先端側端部近くの部分が、その中央部で搬出用ローラ１４６に当接し、その両側部分で各サッカー２０２によって持ち上げられて比較的大きなウェーブを描くように十分に弾性変形して湾曲した図７及び図１３に示す状態となり、サッカー２０２に吸着された平版刷版１１１とその下にある平版刷版１１１との間で搬送方向先端の幅方向全体に渡って密着が全面的に解除された状態となる。
【００８３】
次に、制御部２０は、ステップ３５へ進んで捌き位置への持ち上げ工程へ移行し、制御部２０がモータ２２を駆動制御しピックアップユニット２００を移操作して、サッカー２０２と、これに吸着されている平版刷版１１１とを、比較的に速い速度である第３移動速度（ここでは、５０ｍｍ／ｓｅｃ）で４１ｍｍだけ持ち上げて、サッカー２０２に吸着された平版刷版１１１をその下の平版刷版１１１に対して後端まで捌けるようにするための捌き操作位置へ移動させた図５（Ｄ）及び図６（Ｂ）に示す状態とする。
【００８４】
次に、制御部２０は、ステップ３６へ進んであおり操作工程へ移行し、制御部２０がモータ２２を駆動制御しピックアップユニット２００を上下に往復させるあおり操作をする。このあおり操作は、制御部２０がモータ２２を制御して、サッカー２０２とこれに吸着されている平版刷版１１１とを、比較的に最も速い速度である第４移動速度（ここでは、６３ｍｍ／ｓｅｃ）で、上下の振幅が３８ｍｍとなるように、上下に往復する動作を２回行う。
【００８５】
このようにサッカー２０２で吸着した平版刷版１１１に対してあおり操作を行うことによって、搬出される平版刷版１１１は、その先端部が比較的小さな波型形状と比較的大きなウェーブ形状とを同時に成すように弾性変形した状態で隙間を開け、その下にある平版刷版１１１の表面に対して全幅に渡り離間した隙間から大量の空気を取り入れながら、あおられることにより、サッカー２０２に吸着された平版刷版１１１とその下の平版刷版１１１との間に入った空気が平版刷版１１１の先端から後端にかけてその四隅にまで行き渡り、これらの間を全面にわたって十分に離間するように捌くので、サッカー２０２に吸着されている平版刷版１１１とその下にある平版刷版１１１が一体となって吸着される多数枚吸着を起こすことをより確実に防止できる。
【００８６】
次に、制御部２０は、ステップ３７へ進んで密着解除工程へ移行し、制御部２０が真空ポンプ２４を停止させ大気に開放する電磁弁を開いてサッカー２０２内の負圧を大気圧に戻すことにより、サッカー２０２の吸着状態を解除して図５（Ｄ）及び図６（Ｂ）に示す捌き操作位置において平版刷版１１１を開放し、制御部２０による捌き動作を終了する。
【００８７】
この後、サッカー２０２から開放された平版刷版１１１は、捌き操作位置において保管棚１４４上に斜めに立て掛けられている平版刷版１１１は、その搬送方向先端部が弾性復帰力と自重とによりその下にある平版刷版１１１の表面側に倒れかかる動作を行う。この倒れかかる動作の際、搬出される平版刷版１１１とその下の平版刷版１１１との間にある空気が搬送方向下流側から搬送方向上流側へ向けて押し出されるため、搬出される平版刷版１１１における搬送方向上流側部分とその下の平版刷版１１１の表面との間に空気が流れて、これら両者を全面的に分離し空気層を介在させて隣接させた、接着力を低減させた状態とする。
【００８８】
また、上述した図１５のフローチャートに示す捌き動作の制御は、空気導入用持ち上げ工程において、第１移動速度を０．６ｍｍ／ｓｅｃとし３ｍｍだけ平版刷版１１１を持ち上げるように設定し、空気行き渡し用の持ち上げ工程において、第２移動速度を３ｍｍ／ｓｅｃとし、６ｍｍだけ平版刷版１１１を持ち上げるように設定し、捌き位置への持ち上げ工程において、第３移動速度を５０ｍｍ／ｓｅｃで４１ｍｍだけ平版刷版１１１を持ち上げるように設定し、あおり操作工程において、第４移動速度を６３ｍｍ／ｓｅｃで、上下の振幅が３８ｍｍとなるように上下に往復する動作を２回行うよう設定した場合に、図１４に示すような効果が実験で確認できた。
【００８９】
すなわち、この上述した条件の場合には、搬出する平版刷版１１１とその直下の平版刷版１１１との間の密着力が、捌き無しと比較して大幅に削減され、しかも密着力低減の目標値よりも低い値にできるという効果が確認できた。
【００９０】
また、この枚葉供給装置１１２の捌き手段では、より確実に平版刷版１１１が複数枚重なった状態で搬出されることを防止するために、ピックアップユニット２００を捌き操作位置へ移動させる際にサッカー２０２で吸着された平版刷版１１１の先端が通る軌跡上に臨むように、弾性板状に構成した捌き部材２２８（図５（Ｄ）に図示）を図示しない固定フレーム部材等に取り付けて配置しても良い。
【００９１】
このような捌き部材２２８を配置した場合には、サッカー２０２に複数の平版刷版１１１が重なった状態で持ち上げられた場合に、平版刷版１１１の搬送方向先端部が捌き部材２２８に当たって２枚目以降の平版刷版１１１を一枚目の平版刷版１１１から引き剥がして落下させるので、より確実に平版刷版１１１を一枚だけ捌き操作位置へ移動させることができる。
【００９２】
また、上述のようなピックアップユニット２００による捌き動作は、合紙無しで所定複数枚積み重ねられた平版刷版１１１の束を所定角度で斜めに配置した支持台１６０上に載置した構成であるため良好な効果が得られる。例えば、合紙無しで所定複数枚積み重ねられた平版刷版の束を水平に配置した支持台上に載置した構成である場合には、その平版刷版の先端部をピックアップユニットで持ち上げてもこの平版刷版の後端側が自重でその下の平版刷版と密着した状態を保つことになるので、密着力を低減させるような捌き効果をうることは困難である。
【００９３】
次に、前述した全面離間用の待機工程における図７及び図１３に示す状態から、ピックアップユニット２００を捌き操作位置へ移動させた図５（Ｄ）及び図６（Ｂ）に示す状態とするまでの、他の動作手段について説明する。
【００９４】
この他の動作に当たり制御部２０は、回動操作機である移動操作機構がピックアップユニット２００を移動させ、サッカー２０２によって平版刷版１１１を持ち上げる速度を０．５ｍｍ／ｓｅｃから１ｍｍ／ｓｅｃとする。なお、平版刷版１１１を持ち上げる速度を０．５ｍｍ／ｓｅｃから１ｍｍ／ｓｅｃとする制御は、合紙レス平版刷版１１１の束から平版刷版１１１を持ち上げ始めて所定の高さ位置までとし、この所定高さ位置からさらに持ち上げるときの速度をより早い速度としても良い。
【００９５】
このように平版刷版１１１を持ち上げる速度を０．５ｍｍ／ｓｅｃから１ｍｍ／ｓｅｃの比較的遅い速度とすることによって、搬出される平版刷版１１１は、その先端部が比較的小さな波型形状と比較的大きなウェーブ形状とを同時に成すように弾性変形した状態で隙間を開け、その下にある平版刷版１１１の表面に対して全幅に渡り離間した隙間から大量の空気を容易に流入可能な状態において、比較的遅い速度で引き剥がされることにより、搬出される平版刷版１１１の搬送方向後端側に向けて十分に空気が流入し離間する範囲が広がり、吸盤本体２０１に吸着されている平版刷版１１１とその下にある平版刷版１１１が一体となって吸着される多数枚吸着を起こすことを防止できる。
【００９６】
次に、前述のように構成したピックアップユニット２００を用いて、平版刷版１１１を１枚づつ持ち上げることにより枚葉分離することができることを確認するために行った実験について説明する。
【００９７】
この実験では、平版刷版１１１にサッカー２０２を吸着させる位置を、平版刷版１１１の先端からスカート部２０２Ａの先端までの距離が２ｍｍ、５ｍｍ、１０ｍｍ、１５ｍｍの各距離に設定し、平版刷版１１１を持ち上げる速度を０．５ｍｍ／ｓｅｃ、１ｍｍ／ｓｅｃ、２ｍｍ／ｓｅｃの各速度に設定し、これらの各条件下で実際に１枚づつ持ち上げて枚葉分離するか否かを観察し評価して、図１８に示すような結果を得た。
【００９８】
この図１８に示す実験結果より、平版刷版１１１の先端からスカート部２０２Ａの先端までの距離を２ｍｍから１０ｍｍの範囲内の距離に設定し、吸着圧を−３０ｋＰａとし、平版刷版１１１を持ち上げる速度を０．５ｍｍ／ｓｅｃから１ｍｍ／ｓｅｃに設定することによって、良好に枚葉分離することができることを確認できた。なお、図１８に示した多数枚吸着の状況では、○印が多数枚密着無しを意味し、×印が多数枚密着発生有りを意味する。さらに、吸着対象の平版印刷版としては、厚さｔが０．１５ｍｍ，厚さｔが０．２ｍｍ，厚さｔが０．３ｍｍのものを用いた。
【００９９】
また、この枚葉供給装置１１２の捌き手段では、より確実に平版刷版１１１が複数枚重なった状態で搬出されることを防止するために、ピックアップユニット２００を捌き操作位置へ移動させる際にサッカー２０２で吸着された平版刷版１１１の先端が通る軌跡上に臨むように、弾性板状に構成した捌き部材２２８（図５（Ｄ）に図示）を図示しない固定フレーム部材等に取り付けて配置しても良い。
【０１００】
このような捌き部材２２８を配置した場合には、サッカー２０２に複数の平版刷版１１１が重なった状態で持ち上げられた場合に、平版刷版１１１の搬送方向先端部が捌き部材２２８に当たって２枚目以降の平版刷版１１１を一枚目の平版刷版１１１から引き剥がして落下させるので、より確実に平版刷版１１１を一枚だけ捌き操作位置へ移動させることができる。
【０１０１】
次に、この制御部２０は、真空ポンプ２４を停止して、サッカー２０２の平版刷版１１１に対する吸着力を解除する。すると、保管棚１４４上に斜めに立て掛けられている搬出される平版刷版１１１は、その搬送方向先端部が弾性復帰力と自重とによりその下にある平版刷版１１１の表面側に倒れかかる動作を行う。この倒れかかる動作の際、搬出される平版刷版１１１とその下の平版刷版１１１との間にある空気が搬送方向下流側から搬送方向上流側へ向けて押し出されるため、搬出される平版刷版１１１における搬送方向上流側部分とその下の平版刷版１１１の表面との間に空気が流れて、これら両者を全面的に分離し空気層を介在させて隣接させた、接着力を低減させた状態とする。
【０１０２】
なお、上述した他の動作手段の動作は、これを複数回行うようにしても良い。また、上述のようなピックアップユニット２００による捌き動作は、合紙無しで所定複数枚積み重ねられた平版刷版１１１の束を所定角度で斜めに配置した支持台１６０上に載置した構成であるため良好な効果が得られる。
【０１０３】
次に、ローラピック方式の搬出手段としてのゴムローラ製の搬出用ローラ１４６によって平版刷版１１１を搬出する動作について説明する。
【０１０４】
この平版刷版１１１を搬出する動作を行うため、制御部２０は、昇降装置２１０を駆動制御して、サッカー２０２を搬出用ローラ１４６の平版刷版１１１に対する当接レベルから離間した所定の上昇位置に移動させる。
【０１０５】
さらに制御部２０は、モータ２２を駆動制御して、ピックアップユニット２００をピックアップ位置へ移動させた図６（Ｄ）に示す状態とする。この後、制御部２０は、駆動モータ２１８を駆動制御して搬出用ローラ１４６を回転駆動して平版刷版１１１の表面に転接させることにより、平版刷版１１１を搬送ベルト巻き掛け機構へ向けて搬出する。
【０１０６】
このとき、搬出される平版刷版１１１は、捌かれて密着力が低減され、搬送負荷が低減されているから、搬出用ローラ１４６が平版刷版１１１を搬出するのに必要な搬送力も軽減されるため、搬出用ローラ１４６のニップ力を低減出来る。これにより、平版刷版１１１のＯＣ層剥れ（傷）が抑制できる。
【０１０７】
なお、上述した一枚の平版刷版１１１の搬出動作が完了すると、制御部２０は、モータ２２を駆動制御して、ピックアップユニット２００を退避位置に復帰させて次の搬送動作に備える。
【０１０８】
また、上述したピックアップユニット２００の構成例では、図３及び図４に示す如く、制御部２０が昇降装置２１０を駆動制御してサッカー２０２を昇降操作するよう構成していたが、操作部材２０６に対して、図８乃至図１０に示すようなリンク機構を利用した機械的な連動操作機構を介して搬出用ローラ１４６とサッカー２０２とに所要の動作を行わせるように構成しても良い。
【０１０９】
図８乃至図１０に示す連動操作機構を利用するものでは、各サッカー２０２を４節回転連鎖機構で支持して操作するように構成する。このため、回転制御軸２３０が一端部に固定された駆動用の第１リンク部材２３２には、その回転制御軸２３０と同軸上で第２リンク部材２３４の一端部を回転自由に軸着する。
【０１１０】
この第２リンク部材２３４の他端部には、第３リンク部材２３６の一端部を軸着する。さらに、第３リンク部材２３６の他端部には、第４リンク部材２３８の一端部を軸着する。また、第４リンク部材２３８の他端部は、第１リンク部材２３２の他端部に軸着して４節回転連鎖機構を構成する。
【０１１１】
この４節回転連鎖機構では、第３リンク部材２３６における第２リンク部材２３４との軸着部側にブラケット２４０を固着する。このブラケット２４０には、サッカー２０２の管状固定部材２４２を貫通させた状態で固着する。なお、この管状固定部材２４２には、真空ポンプ２４から引き出された真空ホースの一端部を接続する。
【０１１２】
このように構成したサッカー２０２を操作するための４節回転連鎖機構では、回転制御軸２３０で第１リンク部材２３２を所定角度だけ正転又は逆転させることにより、サッカー２０２を平版刷版１１１の表面と平行な状態で、離間又は当接させる動作を行わせる。
【０１１３】
また、図８乃至図１０に示す連動操作機構を利用するものでは、４節回転連鎖機構に関連させて搬出用ローラ１４６を移動操作するよう構成する。このため、４節回転連鎖機構を駆動する回転制御軸２３０と同軸上に支持リンク部材２４４の一端部を軸着する。この支持リンク部材２４４の他端部には、搬出用ローラ１４６の回転軸を軸着する。
【０１１４】
また、搬出用ローラ１４６の動作を第２リンク部材２３４の動作に関連させるために、第２リンク部材２３４の所定中間位置には、回転制御軸２３０の回転軸を中心とした円弧状の長穴である動作制御穴２４６を穿孔する。
【０１１５】
これと共に、支持リンク部材２４４の動作制御穴２４６に対面する所定位置には、丸棒状の操作補助ピン２４８を突設し、この操作補助ピン２４８の先端部を動作制御穴２４６内に遊挿する。このように構成した４節回転連鎖機構と支持リンク部材２４４との部分は、常時に、搬出用ローラ１４６側の自重によって図８に示す状態となる。
【０１１６】
次に、図８乃至図１０に示す連動操作機構を利用した構成のものの作用及び動作について説明する。
【０１１７】
この図８乃至図１０に示す連動操作機構を利用した構成のピックアップユニット２００では、４節回転連鎖機構と支持リンク部材２４４との部分が図８に示す状態となって、退避位置で待機している。この状態から、制御部２０は平版刷版１１１の搬出動作を開始するときに捌き動作を行うため、退避位置で待機している状態から、回転制御軸２３０を所定角度回動操作させることによって合紙レス平版刷版１１１の束上面に降下される。このとき搬出用ローラ１４６が初めに平版刷版１１１の表面に当接する。
【０１１８】
さらに、この状態から回転制御軸２３０が回動すると、搬出用ローラ１４６が平版刷版１１１の表面に乗って静止した状態で操作補助ピン２４８が動作制御穴２４６内を移動するため、サッカー２０２が平版刷版１１１の表面に当接し、図９に示す状態となる。
【０１１９】
次に、制御部２０は、前述した図１５に示す密着開始工程で真空ポンプ２４を駆動し、サッカー２０２で平版刷版１１１を吸着する。そして、制御部２０は、変形用の待機工程、空気導入用持ち上げ工程、空気行き渡し用の持ち上げ工程、全面離間用の待機工程及び捌き位置への持ち上げ工程を経て、平版刷版１１１の束上方の捌き操作位置に移動した図１０に示す状態とする。なお、この図１０に示す状態では、前述した図５（Ｄ）及び図６（Ｂ）に対応した状態となる。
【０１２０】
この後に、前述したあおり操作工程を実行してから密着解除工程の動作で、サッカー２０２から平版刷版１１１を解除して捌き動作を行い、さらにその後ピックアップユニット２００をピックアップ位置にセットして、平版刷版１１１を搬出する動作を行う。
【０１２１】
なお、上述した図８乃至図１０に示す連動操作機構を利用した構成における以上説明した以外の構成、作用、効果は、前述した図３及び図４に示したピックアップユニット２００と同様である。
【０１２２】
次に図２に示すように、この枚葉供給装置１１２では、ピックアップ位置に移動された搬出用ローラ１４６が保管棚１４４に載置された平版刷版１１１の束の１番上にある平版刷版１１１に転接して、１枚だけを分離し搬送ベルト巻き掛け機構へ送給する。
【０１２３】
この搬送ベルト巻き掛け機構には、各平版刷版１１１を保管棚１４４からインナードラム露光装置１１４まで搬送するために、主搬送ベルト１４８を張架した主搬送ベルト巻き掛け機構１５０と、副搬送ベルト１５２を張架した副搬送ベルト巻き掛け機構１５４とを設置する。
【０１２４】
この主搬送ベルト巻き掛け機構１５０は、保管棚１４４上部に当たる平版刷版１１１の搬入位置から、インナードラム露光装置１１４への搬出位置との間に搬送ベルト１４８を張架して搬送路を構成する。
【０１２５】
また、副搬送ベルト巻き掛け機構１５４は、主搬送ベルト巻き掛け機構１５０における主搬送ベルト１４８の下側に設定される搬送路の一部を共用して搬送中の平版刷版１１１が脱落することを防止するよう構成する。
【０１２６】
このため、副搬送ベルト巻き掛け機構１５４は、主搬送ベルト１４８における、保管棚１４４から搬出された各平版刷版１１１の先端が突き当てられるガイド範囲より搬送方向下流側の中間ローラ１５６から、主搬送ベルト１４８の下側に設定される搬送路の出口に近い中間ローラ１５８の区間で、主搬送ベルト１４８と副搬送ベルト１５２とが添うようになって走行するよう巻き掛けて構成する。
【０１２７】
このように構成された主搬送ベルト巻き掛け機構１５０では、搬出用ローラ１４６によって１枚だけ分離されて搬出された平版刷版１１１の先端が、主搬送ベルト１４８における先端の第１ローラ１５１と中間ローラ１５６との間に張架された部分に相当するガイド範囲１４８Ａに当たり、主搬送ベルト１４８の走行動作に従って中間ローラ１５６側へ搬送される。
【０１２８】
この枚葉供給装置１１２では、搬出用ローラ１４６によって搬出された平版刷版１１１の先端が、ガイド範囲１４８Ａに張架されている主搬送ベルト１４８に当たり、主搬送ベルト１４８が弾力的に容易に変形して平版刷版１１１に衝撃を与えないように受けると共に、平版刷版１１１の先端が当たった部分の主搬送ベルト１４８が略への字状に変形し、平版刷版１１１が撓んでその先端部が中間ローラ１５６の位置で主搬送ベルト１４８と副搬送ベルト１５２との間にスムーズに挟み込まれるようにできる。このように平版刷版１１１は、その先端が主搬送ベルト１４８に当たったときに、弾力的に柔らかく受けられるので、感光面１０Ａを形成する感光層に外傷を与えないようにできる。
【０１２９】
また、この枚葉供給装置１１２では、平版刷版１１１の束から何枚目の平版刷版１１１を搬出する場合であっても、搬出用ローラ１４６が転接して引き上げられる平版刷版１１１の先端が必ずガイド範囲１４８Ａ内で主搬送ベルト１４８に当たるようにし適切に搬出できる。
【０１３０】
よって、この枚葉供給装置１１２では、平版刷版１１１の束から平版刷版１１１が引き出される毎に、その引き出し位置が変わっても適切に搬出できるから、保管棚１４４に平版刷版１１１の引き出し位置を調整するための複雑な装置を設ける必要がないので、構成を簡素化し、装置を小型化することができる。
【０１３１】
そして、先端を主搬送ベルト１４８にガイドされた平版刷版１１１は、中間ローラ１５６の位置で、主搬送ベルト１４８と副搬送ベルト１５２との間に挟み込まれて挟持された状態で搬送路上を搬送され、出口に近い中間ローラ１５８の位置で挟持状態を開放され、インナードラム露光装置１１４へ搬入される。
【０１３２】
このＣＴＰシステムにおけるインナードラム露光装置１１４は、円弧内周面形状（円筒内周面の一部を構成する形状）の支持体１３４を母体として構成されており、この支持体１３４の内周面に沿って平版刷版１１１を支持するようになっている。
【０１３３】
このインナードラム露光装置１１４では、図示しない真空吸着手段によって、未記録の記録媒体である平版刷版１１１を支持体１３４の内周面に確実に密着させて沿わせた状態に保持してから露光処理を行う。
【０１３４】
このインナードラム露光装置１１４では、支持体１３４の円弧中心位置に、光ビーム偏向器としてのスピナーミラー装置１３６を配設する。このスピナーミラー装置１３６は、反射鏡部材（スピナーミラー）１３８を頂面に配置した回転軸１４０を、制御部２０(図３に図示)のスピナードライバによって回転制御がされる駆動源としてのモータによって高速回転可能に構成する。このスピナーミラー装置１３６では、回転軸１４０の回転中心軸を支持体１３４の円弧中心軸と一致するように構成する。
【０１３５】
このスピナーミラー装置１３６では、光源側の光学系から投射された光ビームを、回動する反射鏡部材１３８の反射鏡面に反射させて平版刷版１１１の感光面に対して主走査方向への走査露光を行う。
【０１３６】
このスピナーミラー装置１３６は、図示しない副走査移動手段によって、支持体１３４の円弧中心軸の軸線方向（図２の表面から裏面に貫通する方向）に等速度で移動制御されることにより副走査する。
【０１３７】
このためスピナーミラー装置１３６では、制御部２０のスピナードライバによって、そのモータの回転制御がされると共に、図示しない副走査移動手段により副走査方向に移動制御される。
【０１３８】
このように構成されたスピナーミラー装置１３６は、光源側の光学系から投射され画像情報に応じて変調された光ビームを、回動する反射鏡部材１３８の反射鏡面に反射させて主走査方向への走査露光を行いながら、スピナーミラー装置１３６を副走査方向へ移動することによって、平版刷版１１１の記録面全面に対して２次元の画像を記録する処理を行う。
【０１３９】
このＣＴＰシステムに設けるバッファ装置１１６は、インナードラム露光装置１１４で露光処理された平版刷版１１１を、搬送速度を調整することによって所要のタイミングで現象処理装置１１８へ搬入する機能を有する。
【０１４０】
現象処理装置１１８は、搬入されて来た露光済の平版刷版１１１に対する現像処理を行って潜像を顕像化して印刷版を製版する。
【０１４１】
なお、前述した平版刷版の供給装置は、前述した合紙の保護を必要としないフォトポリマＰＳ版以外に、例えば、いわゆるサーマルＰＳ版で、表面に形成された画像を形成する記録層に傷が付くことを防止するため、記録層の最外表面上にオーバーコート層（現像前の水洗工程で完全に除去できる水溶性材料で構成されたＯＣ層等）が塗布されているものを利用することができる。さらに、平版刷版の供給装置は、合紙の保護を必要とせず、じかに重ねて束ねた状態で取り扱っても傷が問題とならない程度に記録層側の表面を強化した表面強化型のサーマルＰＳ版を利用することができる。
【０１４２】
また、この平版刷版の供給装置の構成は、一般に平版印刷の分野で用いられる製版方式に対応した平版刷版である、光を利用して記録層に画像を記録する（光モード）の平版刷版、熱を利用して記録層に画像を記録する（熱モード）の平版刷版、記録層中で光を熱に変換させて画像を記録する（光、熱モード）の平版刷版、化学反応を利用した平版刷版、物理的な現象を利用した平版刷版、さらにはいわゆるコンベンショナルな平版刷版を一枚づつ分離して供給することに利用できることは勿論である。
【０１４３】
さらに、前述した図３及び図４と、図８乃至図１０とに示したものでは、サッカー２０２を真空吸着用の吸盤装置で構成したものについて説明したが、これをシート状に形成した貼着と剥離動作とを繰り返し行える粘着剤を利用して構成しても良い。
【図面の簡単な説明】
【０１４４】
【図１】本発明の実施の形態に係わる枚葉分離方法を用いた平版刷版の供給装置を備えたＣＴＰシステムの全体を示す斜視図である。
【図２】本発明の実施の形態に係わる枚葉分離方法を用いた平版刷版の供給装置を備えたＣＴＰシステム内部の全体的な概略構成図である。
【図３】本発明の実施の形態に係わる枚葉分離方法を用いた平版刷版の供給装置の要部を取り出して示す拡大斜視図である。
【図４】本発明の実施の形態に係わる枚葉分離方法を用いた平版刷版の供給装置のサッカー部分を取り出して示す要部の拡大斜視図である。
【図５】（Ａ）乃至（Ｄ）は、それぞれ本発明の実施の形態に係わる枚葉分離方法を用いた平版刷版の供給装置に装着された搬出用ローラとサッカーとの動作を示す要部概略説明図である。
【図６】（Ａ）乃至（Ｄ）は、それぞれ本発明の実施の形態に係わる枚葉分離方法を用いた平版刷版の供給装置で平版刷版を捌いて一枚づつ搬出する動作を示す要部概略説明図である。
【図７】本発明の実施の形態に係わる枚葉分離方法を用いた平版刷版の供給装置におけるピックアップユニットで一枚の平版刷版を持ち上げた状態を示す要部概略説明図である。
【図８】本発明の実施の形態に係わる枚葉分離方法を用いた平版刷版の供給装置における、ピックアップユニットに装着する搬出用ローラとサッカーとを操作するための機械的な連動操作機構の待機している状態を示す要部概略斜視図である。
【図９】本発明の実施の形態に係わる枚葉分離方法を用いた平版刷版の供給装置における、ピックアップユニットに装着した機械的な連動操作機構で、搬出用ローラとサッカーとを合紙レス平版刷版の束上面に降下させた状態を示す要部概略斜視図である。
【図１０】本発明の実施の形態に係わる枚葉分離方法を用いた平版刷版の供給装置における、ピックアップユニットに装着した機械的な連動操作機構で、搬出用ローラとサッカーとにより、捌き動作をしている状態を示す要部概略斜視図である。
【図１１】本発明の実施の形態に係わる平版刷版の供給装置内に装填された平版刷版の束から各平版刷版を搬出するためのサッカーが平版刷版上に当接した状態を抜き出して示す要部拡大斜視図である。
【図１２】本発明の実施の形態に係わる平版刷版の供給装置内に装填された平版刷版の束から各平版刷版を搬出するためのサッカーが平版刷版に吸着した状態を抜き出して示す要部拡大斜視図である。
【図１３】本発明の実施の形態に係わる枚葉分離方法を用いた平版刷版の供給装置におけるピックアップユニットで一枚の平版刷版を持ち上げた状態を示す要部概略説明図である。
【図１４】本発明の実施の形態に係わる平版刷版の供給装置の具体的構成で平版刷版同士の密着力を低下させる効果を示すための表である。
【図１５】本発明の実施の形態に係わる平版刷版の供給装置に用いる枚葉分離方法で枚葉分離する手順を示すフローチャートである。
【図１６】本発明の実施の形態に係わる平版刷版の供給装置内に装填された平版刷版の束から各平版刷版を搬出するためのサッカーの吸引口部の部分の断面を示す縦断面図である。
【図１７】本発明の実施の形態に係わる平版刷版の供給装置内に装填された平版刷版の束から各平版刷版を搬出するためのサッカーの吸引口部以外の部分の断面を示す縦断面図である。
【図１８】本発明の実施の形態に係わる平版刷版の供給装置で平版刷版を１枚づつ持ち上げることにより枚葉分離することができることを確認するために行った実験結果を示す表である。
【図１９】合紙レス平版刷版の束における平版刷版の積層状態を例示する要部概略説明図である。
【図２０】合紙レス平版刷版の束における平版刷版における平版刷版のＯＣ層が吸水して接着しているときの積層状態を例示する要部概略説明図である。
【図２１】合紙レス平版刷版の束の平版刷版における平版刷版のＯＣ層が吸水して、搬出される平版刷版の裏に接着して剥がれる状態を例示する要部概略説明図である。
【符号の説明】
【０１４５】
２０  制御部
２２  モータ
２４  真空ポンプ
１１０自動供給装置
１１１平版刷版
１１２枚葉供給装置
１４４保管棚
１４６搬出用ローラ
１６０支持台
１６２棚部材
２００ピックアップユニット
２０１吸盤本体
２０１Ａ    凹部
２０１Ｂ    凸部
２０２サッカー
２０２Ａ    スカート部
２０８回転軸棒
２１０昇降装置
２１８駆動モータ
２２６真空ホース
【図１】
2007119247.tif 000003
【図２】
2007119247.tif 000004
【図３】
2007119247.tif 000005
【図４】
2007119247.tif 000006
【図５】
2007119247.tif 000007
【図６】
2007119247.tif 000008
【図７】
2007119247.tif 000009
【図８】
2007119247.tif 000010
【図９】
2007119247.tif 000011
【図１０】
2007119247.tif 000012
【図１１】
2007119247.tif 000013
【図１２】
2007119247.tif 000014
【図１３】
2007119247.tif 000015
【図１４】
2007119247.tif 000016
【図１５】
2007119247.tif 000017
【図１６】
2007119247.tif 000018
【図１７】
2007119247.tif 000019
【図１８】
2007119247.tif 000020
【図１９】
2007119247.tif 000021
【図２０】
2007119247.tif 000022
【図２１】
2007119247.tif 000023